(57)【要約】  電源制御装置は、電源部と、電源部に接続された電源制御部と、第１の状態と第２の状態とに切り替えられる起動スイッチと、第１の状態と第２の状態とに切り替えられる電源スイッチと、電源スイッチに接続された制御部と、所定の動作を行う機能部とを備える。電源制御部は、電源スイッチと起動スイッチの少なくとも一方が第１の状態である場合に電源部から制御部に電源を供給する。この電源制御装置は起動スイッチが誤動作しても誤動作せず、電源部が無用に消耗されない。
2011030522.tif 000002
【特許請求の範囲】
【請求項１】
電源部と、
前記電源部に接続された電源制御部と、
前記電源制御部に接続されて、第１の状態と第２の状態とに切り替えられる起動スイッチと、
前記電源制御部に接続されて、第１の状態と第２の状態とに切り替えられる電源スイッチと、
前記電源スイッチに接続された制御部と、
前記制御部に接続されて、所定の動作を行う機能部と、
を備え、
前記電源制御部は、前記電源スイッチと前記起動スイッチの少なくとも一方が前記第１の状態である場合に前記電源部から前記制御部に電源を供給する、電源制御装置。
【請求項２】
電源部と、
前記電源部に接続された電源制御部と、
前記電源制御部に接続されて、第１の状態と第２の状態とに切り替えられる電源スイッチと、
前記電源スイッチと接続された制御部と、
前記電源部と前記制御部との間に接続されて、第１の状態と第２の状態とに切り替えられる起動スイッチと、
前記制御部に接続されて、所定の動作を行う機能部と、
を備え、
前記起動スイッチが前記第１の状態になると前記電源部から前記制御部に電源を供給し、
前記電源制御部は、前記電源スイッチが前記第１の状態になると前記電源部から前記制御部に電源を供給する、電源制御装置。
【請求項３】
前記機能部は相手機器と通信できる通信部を有し、
前記制御部は、前記制御部へ前記電源部から電源が供給されており、且つ、前記通信部が前記相手機器と通信可能な状態であるときに前記電源スイッチを前記第１の状態に維持するように動作する、請求項１または２に記載の電源制御装置。
【請求項４】
前記相手機器はネットワークに接続されており、
前記制御部は、前記通信部を介して前記相手機器に対して前記ネットワークへの参加を要求した後、前記通信部が前記相手機器から前記ネットワークへの参加の許可を受信した場合に前記電源スイッチを前記第１の状態に維持するように動作する、請求項３に記載の電源制御装置。
【請求項５】
前記制御部は、
前記ネットワークへの参加の許可を受信した後、前記通信部を介して前記相手機器にリンク要求を送信し
前記通信部を介して前記相手機器に前記リンク要求を送信した後に、前記相手機器からリンク要求許可を受信した場合に前記電源スイッチを前記第１の状態に維持するように動作する、請求項４に記載の電源制御装置。
【請求項６】
前記機能部は、データを検出するセンサ部を有し、
前記制御部は、前記センサ部で検出された前記データが所定範囲内である時に、前記電源スイッチを前記第１の状態に維持する、請求項１または２に記載の電源制御装置。
【請求項７】
前記制御部に接続された表示装置をさらに備え、
前記制御部は、前記制御部へ電源が供給されている場合に前記表示装置を駆動する、請求項１または２に記載の電源制御装置。
【請求項８】
前記制御部は、前記電源スイッチ及び前記起動スイッチの少なくとも一方の状態を前記表示装置へ表示する、請求項７に記載の電源制御装置。
【請求項９】
前記機能部は、データを検出するセンサ部を有し、
前記制御部は、前記電源スイッチが前記第１の状態であるときのみ、前記センサ部に前記電源部より電源を供給する、請求項１または２に記載の電源制御装置。
【請求項１０】
前記制御部は、前記起動スイッチにより動作した動作回数を保持する、請求項１または２に記載の電源制御装置。
【請求項１１】
前記制御部に接続された表示装置をさらに備え、
前記動作回数が所定回数以上であるときは、前記表示装置は前記動作回数が所定回数以上であることを示す情報を表示する、請求項１０に記載の電源制御装置。
【請求項１２】
前記動作回数が所定回数以上であるときは、前記制御部は動作しない、請求項１０に記載の電源制御装置。
【請求項１３】
前記制御部は、前記制御部が動作する駆動時間を保持する、請求項１または２に記載の電源制御装置。
【請求項１４】
前記制御部に接続された表示装置をさらに備え、
前記駆動時間が所定時間以上であるときは、表示装置は前記駆動時間が所定時間以上であることを示す情報を表示する、請求項１３に記載の電源制御装置。
【請求項１５】
前記駆動時間が所定時間以上であるときは、前記制御部は動作しない、請求項１３に記載の電源制御装置。
【発明の詳細な説明】
【技術分野】
【０００１】
本発明は、例えば、人体または動物等の生体情報等を検出するための小型センサ部に用いられる電源制御装置に関するものである。
【背景技術】
【０００２】
図５は特許文献１に記載されている従来の電源制御装置１２６を備えた、人体の生体情報を検出する装置５０１のブロック図である。装置５０１は電池で駆動されるカプセル型内視鏡である。電源制御装置１２６は、リードスイッチ１０２Ａと、ラッチ回路を構成するフリップフロップ１２６Ｂ、１２６Ｃと、フリップフロップ１２６Ｂ、１２６Ｃに接続されてスイッチ素子として機能する電界効果トランジスタ（ＦＥＴ）１２６Ｄ、１２６Ｅとを備える。リードスイッチ１０２Ａの一端は接地され、かつ他端はラッチ回路と接続されて電源供給用スイッチとして機能し、外部から加わる磁界によってオン／オフ動作を行う。フリップフロップ１２６Ｂ、１２６Ｃは、リードスイッチ１０２Ａのオン／オフ動作によってクロックが入力されると、ＦＥＴ１２６Ｄ、１２６Ｅを順次オン状態にセットしている。【０００３】
つまり、外部から磁界が加わるとリードスイッチ１０２Ａは、オン動作を行い、点Ｐａでの信号のレベルはハイ（Ｈ）レベルからロー（Ｌ）レベルになる。また、磁界が加わらなくなるとリードスイッチ１０２Ａはオフ動作を行い、点Ｐａでの信号のレベルはＬレベルからＨレベルに変化する。この動作によりフリップフロップ１２６ＢのＣＫ端子にクロックが入力される。フリップフロップ１２６Ｂは、点ＰａでのＬレベルからＨレベルの信号の立ち上がりエッジを分周した信号をＱ端子から出力する（点Ｐｂ）。ＦＥＴ１２６Ｄは、フリップフロップ１２６ＢのＱ端子から出力される信号のレベルがＬレベルのときオン状態になり、電池１２９から発光ダイオード（ＬＥＤ）駆動回路１２１とＣＣＤ駆動回路１２３に電力を供給してＬＥＤ駆動回路１２１とＣＣＤ駆動回路１２３を起動させ、ＬＥＤ１２０とＣＣＤ１２２を駆動し、ＬＥＤ１２０を点灯させる。【０００４】
次に外部から磁界が加わると、点Ｐａの信号は、再びＨレベルからＬレベルになる。この動作によりフリップフロップ１２６ＢのＱ端子から出力される点Ｐｂでの信号のレベルはＨレベルになり、ＦＥＴ１２６Ｄは、オフ状態になって、この回路全体への電力供給が停止して、ＬＥＤ１２０は消灯する。また次に外部から磁界が加わると、点Ｐａの信号のレベルは再びＨレベルからＬレベルになる。この動作によりフリップフロップ１２６ＢのＱ端子から出力される信号のレベルＬレベルになり（点Ｐｂ）、ＦＥＴ１２６Ｄはオン状態になって、電池１２９からＬＥＤ駆動回路１２１とＣＣＤ駆動回路１２３に電力が供給されることとなり、ＬＥＤ１２０が点灯する。このように、ＦＥＴ１２６Ｄは、リードスイッチ１０２Ａに磁界を加えることによって、いわゆるトグル動作でオンすることになる。【０００５】
フリップフロップ１２６ＢのＱ端子から出力される信号は、ＲＦ送信ユニット１２４のみを起動させるための機能を有するフリップフロップ１２６Ｃのクロック端子に入力される。フリップフロップ１２６Ｃは、点Ｐｂの信号のレベルがＬレベルからＨレベルに遷移する立ち上がりエッジを分周した信号をＱ端子から出力する（点Ｐｃ）。したがって、ＦＥＴ１２６Ｅは、２回目の磁界印加によるリードスイッチ１０２Ａのオン動作によって、オン状態になり、４回目の磁界印加によるリードスイッチ１０２Ａのオン動作によって、オフ状態になる。このため、３回目の磁界印加の際に、ＦＥＴ１２６Ｄ、１２６Ｅがともにオン状態となるので、電池１２９からＲＦ送信ユニット１２４にも電力が供給されることとなる。装置５０１では、たとえば工場出荷時には、上記１回目の磁界印加状態に設定しておいて、被検者への使用時には、３回目の磁界印加によって、ＬＥＤ１２０、ＣＣＤ１２２およびＲＦ送信ユニット１２４全てが駆動可能になるようにするのが好ましい。【０００６】
従来の装置５０１では、リードスイッチ１０２Ａが外部衝撃等により誤作動した場合、ＦＥＴ１２６Ｄ、１２６Ｅの状態が予期せず変化してしまい、電池１２９が無用に消耗される。
【先行技術文献】
【特許文献】
【０００７】
【特許文献１】特開２００６−２２３４７３号公報
【発明の概要】
【０００８】
電源制御装置は、電源部と、電源部に接続された電源制御部と、第１の状態と第２の状態とに切り替えられる起動スイッチと、第１の状態と第２の状態とに切り替えられる電源スイッチと、電源スイッチに接続された制御部と、所定の動作を行う機能部とを備える。電源制御部は、電源スイッチと起動スイッチの少なくとも一方が第１の状態である場合に電源部から制御部に電源を供給する。
【０００９】
この電源制御装置は起動スイッチが誤動作しても誤動作せず、電源部が無用に消耗されない。
【図面の簡単な説明】
【００１０】
【図１】図１は本発明の実施の形態１に係る電源制御装置のブロック図である。
【図２】図２は本発明の実施の形態２に係る電源制御装置のブロック図である。
【図３Ａ】図３Ａは本発明の実施の形態３に係る電源制御装置のブロック図である。
【図３Ｂ】図３Ｂは実施の形態３に係る他の電源制御装置のブロック図である。
【図４】図４は本発明の実施の形態４に係る電源制御装置のブロック図である。
【図５】図５は従来の電源制御装置のブロック図である。
【発明を実施するための形態】
【００１１】
（実施の形態１）
図１が本発明の実施の形態１に係る電源制御装置１００１のブロック図である。電源制御装置１００１は、電源部１と、電源部１に接続された電源制御部５と、電源制御部５に接続された起動スイッチ２と、電源制御部５に接続された電源スイッチ３と、電源スイッチ３と接続された制御部４と、所定の動作を行う機能部１０１とを備える。電源制御部５は制御部４とも接続されている。機能部１０１は制御部４に接続された通信部６を有する。
【００１２】
電源部１は、電源制御部５を介して制御部４へ駆動用の電力を供給する、例えば、家庭用電源や電池等で構成される。
【００１３】
起動スイッチ２は、電源部１から電源制御部５へ最初に電源を供給するトリガーとして機能する。起動スイッチ２は、例えば、ユーザにより操作されるスイッチボタンであっても、特別な磁界の中で動作するリードスイッチであっても、あるいは、スイッチ動作をするトランジスタ等の非接点スイッチやリレー等の接点スイッチであってもよい。
【００１４】
電源スイッチ３は、制御部４によりオン／オフの制御がなされ、例えば、スイッチ動作をするトランジスタで構成される。
【００１５】
制御部４は、例えば１チップのマイクロコンピュータにより実現される。制御部４には、電源制御装置１００１を動作させるプログラムが格納されたＲＯＭとプログラムを実行する際に使用するＲＡＭとフラッシュ記憶部などの記憶部、かつそのプログラムに従って制御するＣＰＵ等を含んでいてもよい。
【００１６】
電源制御部５は、起動スイッチ２あるいは電源スイッチ３のいずれかがオン状態になると電源部１からの電源を制御部４に供給するスイッチであり、例えばスイッチ動作をするトランジスタで構成される。
【００１７】
通信部６は、制御部４で制御され、例えば、ＵＳＢやＩＥＥＥ１３９４等の有線通信デバイスや、無線ＬＡＮやＢｌｕｅｔｏｏｔｈ（登録商標）等の無線デバイスであってもよい。
【００１８】
相手機器７は、通信部６と通信することができる通信機器であり、例えば、ＵＳＢやＩＥＥＥ１３９４等の有線デバイスを備えた機器や、無線ＬＡＮやＢｌｕｅｔｏｏｔｈ（登録商標）等の無線デバイスを備えた機器であってもよい。
【００１９】
表示装置８は、電源制御装置１００１の状態を表示する装置であり、例えば、ＬＥＤや液晶モニタであってもよい。
【００２０】
機能部１０１は制御部４に接続されたセンサ部９をさらに有する。センサ部９は、例えば、熱センサ、接触式や非接触式等の温度センサ、光センサ、磁気センサ、音声センサ、イオン濃度やガス濃度等の濃度センサ、変位センサ、回転数センサ、位置センサ、速度センサ、角速度センサ、加速度センサ、湿度センサ、においセンサ等の各種センサである。電源制御装置１００１はセンサ部９が無い構成としてもよい。
【００２１】
電源制御装置１００１の動作について、以下説明する。実施の形態１では起動スイッチ２はリードスイッチである。
【００２２】
電源スイッチ３と起動スイッチ２とは共に第１の状態と第２の状態に切り替えることができる。実施の形態１では電源スイッチ３と起動スイッチ２が第１の状態にあることは電源スイッチ３と起動スイッチ２とがオン状態であることに対応し、第２の状態にあることは電源スイッチ３と起動スイッチ２とがオフ状態であることに対応する。電源制御部５は、電源スイッチ３と起動スイッチ２の少なくとも一方が第１の状態になると電源部１から制御部４に電源を供給する。電源制御部５は、電源スイッチ３と起動スイッチ２との双方が第２の状態になると電源部１から制御部４に電源を供給しない。実施の形態１では、起動スイッチ２と電源スイッチ３の少なくとも一方がオン状態にあるときは電源制御部５から電源部１から制御部４に電源を供給し、起動スイッチ２と電源スイッチ３と共にオフ状態にあるときは、電源制御部５から電源部１の電源が制御部４に供給されない。起動スイッチ２の第１の状態とは、電源部１から制御部４へ電源が供給できる状態を指している。また、起動スイッチ２の第２の状態は、電源部１から制御部４へ電源が供給されない状態を指す。
【００２３】
電源スイッチ３と起動スイッチとが共にオフ状態すなわち第２の状態にあるときにユーザが磁石を起動スイッチ２に近接させることにより起動スイッチ２がオン状態すなわち第１の状態になると、電源制御部５により電源部１からの電源が制御部４に供給される。電源を供給された制御部４は表示装置８を駆動して、制御部４に電源が供給されたことをユーザに判別できるようにする。
【００２４】
その後、起動スイッチ２に近接させていた磁石を起動スイッチ２から遠ざけると、起動スイッチ２はオフ状態すなわち第２の状態となり、起動スイッチ２が第２の状態であるとき、電源スイッチ３もオフ状態すなわち第２の状態であれば、電源制御部５は電源部１の電源を制御部４へ供給することを停止する。
【００２５】
しかし、ユーザが起動スイッチ２に近接させていた磁石を遠ざけて起動スイッチ２が第２の状態になる前に、制御部４が通信部６と相手機器７とが通信可能な状態であることを確認している場合には、起動スイッチ２第２の状態となっても、電源制御部５は電源部１の電源を制御部４へ供給し続ける。以下、その動作を詳述する。
【００２６】
起動スイッチ２がオン状態すなわち第１の状態になると、電源制御部５により電源部１からの電源が制御部４に供給され、制御部４は通信部６から相手機器７に無線で存在要求信号を送信する。存在要求信号とは、通信部６と無線通信を行うことができる範囲に相手機器７が存在している事を、相手機器７が通信部６へ通知するように促す信号である。相手機器７は存在要求信号を受信すると通信部６へ存在応答信号を送信する。存在応答信号とは、相手機器７が通信部６と無線通信を行うことができる範囲に存在して、通信部６と無線通信ができることを通信部６に通知する信号である。
【００２７】
制御部４は、通信部６で相手機器７からの存在応答信号を受信すると、相手機器７が通信部６から無線通信できる範囲に存在することを確認できる。制御部４が通信部６と相手機器７とが通信可能な状態であることを確認すると、制御部４は電源スイッチ３がオン状態すなわち第１の状態を継続するように電源スイッチ３を制御する。その後、ユーザが起動スイッチ２から磁石を遠ざけて起動スイッチ２の状態がオフ状態すなわち第２の状態になったとしても、電源スイッチ３がオン状態すなわち第１の状態となっているので、電源部１から電源制御部５を介して電源が制御部４に供給され続ける。以上より、起動スイッチ２が振動等により誤作動を起こしオン状態になったとしても、通信部６と相手機器７とが通信可能な状態となっていないと電源スイッチ３がオン状態とならない。通信部６と相手機器７とが通信可能な状態で無い場合には、起動スイッチ２の誤作動状態が解除されてオフ状態となると、電源部１から制御部４へ電源が供給されなくなる。これにより、起動スイッチ２の誤作動によりオン状態となっても、長時間、電源部１の電力が消費される事を防止することができる。
【００２８】
実施の形態１に係る電源制御装置１００１は、センサ部９が検出したデータを制御部４は通信部６から相手機器７へ送信する。通信部６と相手機器７とが通信可能な状態となっていない場合に、相手機器７へ届かないにも関わらずセンサ部９の検出したデータを相手機器７へ送信し続けると、電源部１の電力を無用に消費する。実施の形態１に係る電源制御装置１００１では、ユーザが意図して起動スイッチ２をオン状態すなわち第１の状態であり、且つ、通信部６と相手機器７とが通信可能な状態であると制御部４が確認した場合に、制御部４は電源スイッチ３をオン状態すなわち第１の状態とする。また、ユーザが意図して起動スイッチ２をオン状態すなわち第１の状態であっても、通信部６と相手機器７とが通信可能な状態で無いと制御部４が確認した場合には、制御部４は電源スイッチ３をオフ状態すなわち第２の状態とする。したがって、相手機器７へ届かないにも関わらずセンサ部９の検出したデータを相手機器７へ送信し続けることを回避でき、電源部１の電力を無用に消費することを防止することができる。
【００２９】
尚、電源スイッチ３がオン状態すなわち第１の状態となった時のみ、制御部４は電源部１からセンサ部９へ電源を供給してもよい。この場合には、電源スイッチ３がオフ状態すなわち第２の状態であるときに制御部４は電源部１からセンサ部９へ電源を供給しない。これにより、通信部６と相手機器７とが通信可能な状態となったときのみ、センサ部９に電力が供給されるので、消費電力を低減する事が可能となる。
【００３０】
電源制御装置１００１は制御部４へ接続された表示装置８を備えてもよい。制御部４は、制御部４へ電源が供給されている時に表示装置８を駆動する。これにより、電源制御装置１００１が使用されていない場合に、表示装置８が無用に電力を消費する事を回避できる。制御部４は電源スイッチ３及び起動スイッチ２の少なくとも一方の状態を表示装置８へ表示する構成としてもよい。これにより、ユーザは表示装置８の表示内容を見る事により、電源スイッチ３がオン状態すなわち第１の状態となっているか否かを確認でき、結果、相手機器７と通信部６とが通信可能な状態であるか否かを確認できる。これにより、ユーザが電源制御装置１００１の状態を識別することができる。
【００３１】
通信部６がセンサ部９の検出したデータを相手機器７へ無線送信することを完了すると、制御部４は電源スイッチ３の状態をオン状態からオフ状態へ切り替えてもよい。これにより、ユーザが磁石を起動スイッチ２に近接させていない場合には起動スイッチ２がオフ状態となっているので、電源制御部５は電源部１から制御部４への電源供給を停止する。これにより、必要な動作を完了した後、自動的に制御部４への電源供給を停止する事ができ、消費電力を低減する事ができる。
【００３２】
相手機器７はネットワーク７Ａに接続されていても良い。制御部４は通信部６で存在応答信号を受信した後は電源スイッチ３をオン状態で継続する。制御部４は、通信部６で存在応答信号を受信した後すぐに電源スイッチ３をオン状態とはせず、さらに、相手機器７からネットワーク参加応答信号を受信した後に、電源スイッチ３をオン状態に切り替えてもよい。具体的には、制御部４は通信部６で存在応答信号を受信した後、通信部６から相手機器７へネットワーク参加要求信号を送信する。ネットワーク参加要求信号を受信した相手機器７は、電源制御装置１００１がネットワーク７Ａへの参加する条件を満たしている場合には、ネットワーク参加応答信号を通信部６へ送信する。ネットワーク参加要求信号を受信した相手機器７は、電源制御装置１００１がネットワーク７Ａへの参加する条件を満たしていない場合には、ネットワーク参加応答信号を通信部６へ送信しない。通信部６で相手機器７からネットワーク参加応答信号を受信すると、制御部４は相手機器７を介してネットワーク７Ａに参加できることを確認し、電源スイッチ３をオン状態で維持する。これにより、通信部６と相手機器７とがネットワーク７Ａに接続できた時のみ、制御部４に電源が供給されるので、セキュリティを向上させることができる。
【００３３】
また、制御部４はネットワーク参加応答信号を受信後すぐには電源スイッチ３をオン状態すなわち第１の状態とはせず、さらに相手機器７からリンク応答信号を受信した後に電源スイッチ３をオン状態とする構成としても良い。具体的には、制御部４はネットワーク参加応答信号を受信後、通信部６から相手機器７へリンク要求信号を送信する。リンク要求信号を受信した相手機器７は、電源制御装置１００１がリンク条件を満たしている場合にはリンク応答信号を通信部６へ送信する。リンク要求信号を受信した相手機器７は、電源制御装置１００１がリンク条件を満たしていない場合にはリンク応答信号を通信部６へ送信しない。通信部６で相手機器７からリンク応答信号を受信すると、制御部４は相手機器７とのリンクが確立されたことを確認し、電源スイッチ３をオン状態すなわち第１の状態で維持する。これにより、通信部６と相手機器７との間にリンクが確立できた時にのみ、制御部４に電源が供給されるので、セキュリティの向上を図ることができる。
【００３４】
さらに、制御部４は記憶部４Ａを備えてもよい。制御部４は、記憶部に起動スイッチ２により制御部４を動作させた動作回数を保持させる。制御部４は、回数の代わりに、記憶部４Ａに制御部４に電源を供給して駆動した駆動時間の積算値を保持させても良い。これにより、制御部４は電源制御装置１００１の状態を把握することができ、この状態を表示装置８に表示してユーザに通知してもよい。また、電源部１が電池の場合には、制御部４は記憶部４Ａに保持された動作回数や駆動時間から電池の残量を計算し、電池残量を示す情報を表示装置８に表示してもよく、これにより、ユーザに電池の状態を通知できる。更に、電源部１の電池の容量に基づいて、電源制御装置１００１が正常に動作することを保証できる動作回数を所定回数として規定しても良い。記憶部４Ａに記録された動作回数が所定回数を越えない場合に、制御部４は電源スイッチ３をオン状態に維持して動作する。記憶部４Ａに記録された動作回数が所定回数を越える場合には、表示装置８に動作回数が所定回数を越えることを示す情報を表示する、または、制御部４が動作を停止する構成としてもよい。又は、電源部１の電池の容量に基づいて、電源制御装置１００１が正常に動作することを保証できる制御部４の駆動時間を所定時間として規定してもよい。記憶部４Ａに記録された駆動時間が所定時間を越えない場合に、制御部４は電源スイッチ３をオン状態に維持して動作する。記憶部４Ａに記録された駆動時間が所定時間を越える場合には、表示装置８に駆動時間が所定時間を越えることを示す情報を表示する、または、制御部４が動作を停止する構成としてもよい。これにより、電池にチャージされた電力量が減少し、電源制御装置１００１が不安定動作する事を防止することができる。
【００３５】
また、制御部４は記憶部４Ａで記憶された動作回数または駆動時間により電池の残量を計算し、残量が次の動作に十分でなければ、センサ部９を動作させない。これにより、電池の残量が不十分な時に、センサ部９が不安定動作することを防止できる。
【００３６】
尚、記憶部４Ａは不揮発性メモリを採用してもよい。これにより、電源供給がなくなっても電源制御装置１００１の動作回数または駆動時間等の情報を保持しつづけることができる。
【００３７】
実施の形態１では起動スイッチ２がリードスイッチであるが、これに限定されるものではない。
【００３８】
尚、実施の形態１における電源制御装置１００１では、電源スイッチ３及び起動スイッチ２の第１の状態とは、電源スイッチ３及び起動スイッチ２がオンとなる状態を指しており、電源スイッチ３及び起動スイッチ２の第２の状態とは、電源スイッチ３及び起動スイッチ２がオフとなる状態を指しているが、これに限る必要はない。例えば、電源スイッチ３の第１の状態がオフの状態を指し、第２の状態がオンの状態を指していてもよい。また、起動スイッチ２の第１の状態がオフの状態を指し、第２の状態がオンの状態を指していてもよい。
【００３９】
尚、「通信可能な状態」とは、上記の通り、通信部６が相手機器７から存在応答信号を受信した状態であっても良いし、また、通信部６が相手機器７からネットワーク参加応答信号を受信した状態であっても良いし、更にまた、通信部６が相手機器７からリンク応答信号を受信した状態であっても良い。
【００４０】
以上述べたように、電源制御装置１００１は、起動スイッチ２が第１の状態になったとしても、図５に示す従来の電源制御装置１２６と異なり、永久的に電源供給を行うことはない。制御部４が電源スイッチ３を第１の状態にした後でないと、起動スイッチ２の状態に拘わらず制御部４へ電源は供給されない。したがって、実施の形態１に係る電源制御装置１００１を運搬中に、外部衝撃等により予期せず電源制御装置１００１が継続的に動作することを防止できる。
【００４１】
（実施の形態２）
図２は本発明の実施の形態２に係る電源制御装置１００２のブロック図である。図２において、図１に示す実施の形態１に係る電源制御回路１００１と同じ部分には同じ参照番号を付す。図２に示す電源制御回路１００２は、図１に示す電源制御回路１００１の起動スイッチ２の代わりに起動スイッチ１２を備える。電源制御部５及び起動スイッチ１２は共に制御部４と接続されている。
【００４２】
電源部１は、電源制御部５あるいは起動スイッチ１２を介して制御部４へ駆動用の電力を供給する。
【００４３】
起動スイッチ１２は、電源部１から制御部４へ最初に電源を供給するトリガーとして機能する。起動スイッチ１２は図１に示す実施の形態１に係る起動スイッチ２と同様に、例えば、ユーザにより操作されるスイッチボタンであっても、特別な磁界の中で動作するリードスイッチであっても、あるいは、スイッチ動作をするトランジスタ等の非接点スイッチやリレー等の接点スイッチであってもよい。
【００４４】
電源制御部５は、電源スイッチ３がオン状態すなわち第１の状態になると電源部１からの電源を制御部４に供給する。
【００４５】
図２に示す電源制御装置１００２の動作内容について、以下詳述する。実施の形態２では起動スイッチ１２はリードスイッチである。
【００４６】
電源スイッチ３と同様に、起動スイッチ１２は第１の状態と第２の状態に切り替えることができる。実施の形態２では起動スイッチ１２が第１の状態にあることは起動スイッチ１２がオン状態であることに対応し、第２の状態にあることは起動スイッチ１２がオフ状態であることに対応する。ユーザが起動スイッチ１２に磁石を近接させると、起動スイッチ１２がオン状態すなわち第１の状態となり、電源部１から起動スイッチ１２を介して制御部４に電源が供給される。起動スイッチ１２の第１の状態とは、電源部１から制御部４へ電源が供給できる状態を指している。また、起動スイッチ１２の第２の状態は、電源部１から制御部４へ電源が供給されない状態を指す。
【００４７】
制御部４は通信部６と相手機器７とが通信可能な状態であることを確認する。制御部４は、実施の形態１における電源制御装置１００１と同様に、通信部６と相手機器７とが通信可能な状態である間は電源スイッチ３が第１の状態となるように電源スイッチ３を制御する。
【００４８】
電源制御部５は、電源スイッチ３が第１の状態すなわちオン状態である間は、電源部１から電源制御部５を介して制御部４に電源を供給し続ける。起動スイッチ１２が第１の状態となる前は電源スイッチ３は第１の状態ではない第２の状態であるオフ状態となっており、電源部１から電源制御部５を介して制御部４へ電力が供給されない。よって、起動スイッチ１２が第２の状態すなわちオフ状態であり、かつ電源スイッチ３が第２の状態すなわちオフ状態においては、電源部１の電源が制御部４に供給されることはない。
【００４９】
起動スイッチ１２がオンされるまでは、制御部４等が電力を消費することがないので、電源部１が電池である場合には長期間保管後においても電池のエネルギーの減少を抑える事ができる。
【００５０】
また、誤作動により起動スイッチ１２がオン状態になっても起動スイッチ１２の誤作動状態が解除されれば、すなわち起動スイッチ１２が第２の状態であるオフ状態となれば、制御部４に電源が供給されなくなる。したがって、起動スイッチ１２の誤作動による無用の電力消費を防止できる。
【００５１】
以上、実施の形態２に係る電源制御装置１００２は、実施の形態１に係る電源制御装置１００１に対して、起動スイッチ１２の接続位置が異なる以外は構成上大きな差異は無く、また、上記以外の動作上の差異もないので、実施の形態１と同様の効果が得られる。
【００５２】
（実施の形態３）
図３Ａは、実施の形態３に係る電源制御装置１００３のブロック図である。図３Ａにおいて、図１に示す実施の形態１に係る電源制御回路１００３と同じ部分には同じ参照番号を付す。図３Ａに示す実施の形態３における電源制御装置１００３は、図１に示す実施の形態１に係る電源制御装置１００１の通信部６を備えていない。すなわち機能部１０１は通信部６を有していない。
【００５３】
実施の形態３に係る電源制御装置１００３の制御部４が電源スイッチ３を第１の状態に切り替えて維持する条件が、実施の形態１に係る電源制御装置と異なる。
【００５４】
ユーザの操作により起動スイッチ２が第１の状態すなわちオン状態になると、電源制御部５により電源部１からの電源が制御部４に供給される。電源を供給された制御部４は表示装置８を駆動し、制御部４に電源が供給されたことをユーザに判別できるようにしてもよい。
【００５５】
次に、電源スイッチ３が第２の状態すなわちオフ状態にある場合に、制御部４はセンサ部９を駆動し、センサ部９の検出したデータが所定の範囲内であれば、電源スイッチ３を第１の状態すなわちオン状態に変更して維持する。センサ部９の検出したデータが所定の範囲内に無い場合には、電源スイッチ３を第２の状態すなわちオフ状態に維持する。これにより、電源スイッチ３が第１の状態すなわちオン状態で維持されていると、ユーザが起動スイッチ２の状態を第２の状態すなわちオフ状態に変更しても、電源制御部５は電源部１からの電源を制御部４に供給し続ける。このとき、制御部４は、表示装置８により電源スイッチ３を第１の状態すなわちオン状態に継続していることを示す情報を表示することでユーザに識別できるようにしてもよい。
【００５６】
以上より、実施の形態３に係る電源制御装置は、センサ部９の検出結果が所定範囲内のものであることを条件に制御部４が電源スイッチ３の状態を第１の状態へ変更維持する。これにより、実施の形態３に係る電源制御装置は、センサ部９が検出動作をするのにふさわしい環境に設置されていること（実施の形態３に係る電源制御装置が搭載された小型センサ装置が、ユーザの意図する使用環境に配置されたこと）をトリガーとして動作するため、無用に電力を消費する事がない。故に、実施の形態３に係る電源制御装置が搭載された小型センサ装置を搬送中に、一時的に誤って起動スイッチ２が第１の状態となってしまったとしても、継続的に電源部１の電力が制御部４へ供給される事を防止することができる。
【００５７】
なお、制御部４は、センサ部９を用いた処理が完了すると、電源スイッチ３を第２の状態すなわちオフ状態に切り替えることにより、制御部４への電源供給を停止する構成としても良い。但し、ユーザが意図的に起動スイッチ２を第１の状態に維持し続けている場合は、制御部４は電源スイッチ３を第１の状態すなわちオン状態に維持する。これにより、無用に制御部４等において電力が消費される事を防止できる。
【００５８】
尚、センサ部で検出されたデータの所定範囲とは、例えば、センサ部９が温度センサの場合であれば、０℃〜４０℃の範囲内である場合や、０℃〜４０℃の範囲以外の温度範囲を指す。すなわち、所定範囲は、ユーザが意図したセンサ部の検出環境下において、検出されるであろう妥当なデータの範囲を指しており、ユーザが意図していない環境下にセンサ部を設置したときに検出されるデータを含まない範囲を指している。
【００５９】
図３Ａに示す電源制御装置１００３では起動スイッチ２は電源制御部５に接続されているが、これに限定する必要はない。図３Ｂは、実施の形態３に係る他の電源制御装置１００３Ｂのブロック図である。図３Ｂにおいて、図２に示す実施の形態２に係る電源制御装置１００２と同じ部分には同じ参照番号を付す。図３Ｂに示す実施の形態３における電源制御装置１００３Ｂは、図２に示す実施の形態２に係る電源制御装置１００２の通信部６と相手機器７を備えていない。起動スイッチ１２は電源部１と制御部４との間に接続されている。この構成により、電源制御部５を介さずに電源部１から制御部４へ電力を供給できるので、電力供給ロスを低減する事ができる。
【００６０】
また、制御部４は記憶部４Ａを備えていてもよい。記憶部４Ａはセンサ部９が検出したデータを蓄積する。制御部４は蓄積されたデータをＵＳＢ等のインターフェースを介して外部機器へ移動することができる。これにより電源制御装置１００３（１００３Ｂ）に通信部を搭載する必要がなくなり、電源制御装置１００３（１００３Ｂ）を小型化することができる。また、図３Ａと図３Ｂに示す電源制御装置１００３、１００３Ｂが通信部を有していてもよい。この場合、実施の形態１、２に係る電源制御装置１００１，１００２と同様に、センサ部９で検出されたデータが所定範囲内にあり、かつ通信部が相手機器と通信可能である場合に、制御部４が電源スイッチ３を第２の状態から第１の状態に切り替えてもよい。これにより、より確実に電源制御装置が搭載された電子機器が動作すべき状態であるか否かを確認する事ができ、無用に電力を消費する事を回避できる。
【００６１】
（実施の形態４）
図４は、本願の実施の形態４に係る電源制御装置１００４のブロック図である。図４において、図１に示す実施の形態１に係る電源制御装置１００１と同じ部分には同じ参照番号を付す。実施の形態４に係る電源制御装置では、図１に示す実施の形態１に係る電源制御装置１００１と異なり、電源制御部５を介して電源部１からセンサ部９へ電力が供給される。
【００６２】
初期状態では、起動スイッチ２及び電源スイッチ３が共に第１の状態すなわちオン状態と異なる第２の状態すなわちオフ状態であるので、電源制御部５から電源部１の電源が制御部４へ供給されていない。
【００６３】
次に、ユーザの操作等により起動スイッチ２が第２の状態から第１の状態に切り替えられると、電源制御部５により電源部１からの電源が制御部４に供給される。電源を供給された制御部４は、表示装置８を駆動し、制御部４に電源が供給されたことをユーザに判別できるようにしてもよい。
【００６４】
次に、制御部４は、通信部６と相手機器７とが通信可能な状態であることを確認した後、通信部６と相手機器７とが通信可能な状態である期間は電源スイッチ３を第１の状態に継続する。これにより、ユーザが起動スイッチ２を第２の状態に切り替えても、電源部１からの電源が制御部４に供給され続ける。
【００６５】
次に、電源制御部５は、電源スイッチ３が第１の状態である間はセンサ部９へ電源部１からの電力を供給し続ける。電源スイッチ３が第２の状態である間はセンサ部９へ電源部１からの電力を供給しない。これにより、無用な期間、センサ部９へ電力が供給される事がなくなるため、電源制御装置の消費電力を低減できる。
【００６６】
このとき、制御部４は表示装置８で、電源スイッチ３が第１の状態となっていることをユーザに識別できるようにしてもよい。
【００６７】
さらに、制御部４はセンサ部９で検出されたデータを通信部６から相手機器７に送信し、相手機器７への送信が完了すると電源スイッチ３の状態を第２の状態に切り替える。これにより、電源制御装置１００４が無用に電力を消費する事を回避できる。
【００６８】
尚、実施の形態１〜４において「接続」とは、電気的に接続されている事を指しており、直流的に接続された状態だけでなく、電磁的に接続された状態をも含んでいる。
【産業上の利用可能性】
【００６９】
本発明に係る電源制御装置は起動スイッチが誤動作しても誤動作せず、電源部が無用に消耗されないので、電池の無用の消耗を防止でき、小型の温度センサ装置や生体センサ装置等の電池駆動の小型電子機器に利用することができる。
【符号の説明】
【００７０】
１    電源部
２    起動スイッチ
３    電源スイッチ
４    制御部
５    電源制御部
６    通信部
７    相手機器
８    表示装置
９    センサ部
１０１    機能部
【図１】
2011030522.tif 000003
【図２】
2011030522.tif 000004
【図３Ａ】
2011030522.tif 000005
【図３Ｂ】
2011030522.tif 000006
【図４】
2011030522.tif 000007
【図５】
2011030522.tif 000008
【国際調査報告】
2011030522.tif 000009
2011030522.tif 000010
2011030522.tif 000011
2011030522.tif 000012